(57)【要約】【課題】  耐光性、耐水性の優れた顔料系インクで、保存安定性に優れたインクを提供し、吐出ノズル先端でのインク乾燥による目詰まりが発生せず、常に吐出応答性、吐出安定性が良好であるインクジェット記録方式に使用される水性インク組成物を提供すること。【解決手段】  少なくとも水、水溶性有機溶媒、および顔料を含有する水性インク組成であって、下記一般式（I）で表される化合物を含有させたことを特徴とする水性インク組成物。【化４】2007002059.tif 000006  （但し、Ｍはアルカリ金属、アンモニウム又は有機アンモニウムを表し、ｎは０又は１である）。【選択図】        なし【特許請求の範囲】
【請求項１】
少なくとも水、水溶性有機溶媒、および顔料を含有する水性インク組成であって、下記一般式（I）で表される化合物を含有させたことを特徴とする水性インク組成物。
【化１】
2007002059.tif 000005
（但し、Ｍはアルカリ金属、アンモニウム又は有機アンモニウムを表し、ｎは０又は１である）
【請求項２】
前記一般式（Ｉ）で表される化合物の含有量がインク全重量に対し０．０１以上１０．０ｗｔ％未満であることを特徴とする請求項１に記載の水性インク組成物。
【請求項３】
前記顔料が、親水性基を表面に有する自己分散可能な顔料であることを特徴とする請求項１に記載の水性インク組成物。
【請求項４】
前記自己分散可能な顔料が、カーボンブラックを親水化処理することにより得られる顔料であることを特徴とする請求項３に記載の水性インク組成物。
【請求項５】
さらに界面活性剤を含有することを特徴とする請求項１乃至４いずれかに記載の水性インク組成物。
【請求項６】
界面活性剤の含有量がインク全重量に対し０．０１以上２．０ｗｔ％未満であることを特徴とする請求項５に記載の水性インク組成物。
【請求項７】
界面活性剤が、アニオン性界面活性剤および／またはノニオン性界面活性剤であることを特徴とする請求項５または６に記載の水性インク組成物。
【発明の詳細な説明】
【技術分野】
【０００１】
本発明は、印刷用、筆記用、記録計用、インクジェット記録用に適した水性インクに関し、特に耐水・耐光性等の画像堅牢性に優れた画像を得られ、保存安定性に優れ、さらに印字時のヘッドの目詰まりがなく吐出安定性に優れた水性インク組成物に関するものである。
【背景技術】
【０００２】
液体状のインクをノズルから吐出させて画像の記録を行なうインクジェット記録法は、普通紙への印字が可能なこと、カラー化への対応が容易なこと、駆動時の騒音、消費電力が低いことなどから、コンピュータで作成した文書や画像の出力用プリンタとして近年急速に普及しつつある。最近ではインクジェット記録技術の進歩により、写真並みの高品質の画像が得られるようになってきているが、それに加え耐水性や耐光性など画像の耐久性や、高速印字時の吐出安定性など、求められる性能が多岐に渡るようになってきた。
【０００３】
現在インクジェット記録方式では、着色剤として染料を用いたインクが多く使用されているものがある（特開平０５−１９４８８９号公報：特許文献１、特開平０９−００３３８０号公報：特許文献２、特開平１１−１５８４２４号公報：特許文献３）。しかしながら、染料を用いたインクは発色がよく色再現域が広いものの、耐水性や耐光性が劣るために、記録画像の耐光性が問題となる場合が多い。また、染料が水溶性であるために、記録画像の耐水性が問題となる場合もある。
【０００４】
これら記録画像の堅牢性を改善するために、染料に比較して耐光性及び耐水性に優れた顔料を着色剤として使用した水性インク組成物が提案されている。インクジェット記録用の顔料インクにおいては、インクの目詰まりを防止するために、顔料は少なくとも平均粒子径で０．２μｍ以下、粒度分布上限で概ね０．６μｍ程度にまで微粒子分散を行ない、分散安定性、保存安定性を確保する必要がある。
【０００５】
そこで、顔料を水性インク組成物の着色剤として用いる場合には、水溶性の各種合成高分子及び界面活性剤のようないわゆる顔料分散剤の存在下で分散機を使用して水性媒体中に分散、安定化させる必要がある。
【０００６】
例えば、特許文献４（特開昭６４−６０７４号公報）、特許文献５（特開平４−１４９２８６号公報）には、酸性カーボンブラックと分散剤（アニオン系界面活性剤や高分子分散剤）と緩衝液を含む水性顔料インク組成物が記載されている。また、特許文献６（特開平３−２１０３７３号公報）には、揮発分が３．５〜８重量％の酸性カーボンブラックと水溶性樹脂とを含むインクジェット用インク組成物が記載されている。また、特許文献７（特開平３−１３４０７３号公報）には、中性又は塩基性カーボンブラックと水溶性樹脂とを含むインクジェット用記録液が記載されている。しかし、分散剤として界面活性剤又は高分子分散剤を用いた場合、インク特性を調整するために加える溶媒又は添加剤等と分散剤との相互作用により、分散が不安定になり易いという問題もある。
【０００７】
また、分散剤を使用しないで、顔料を親水化処理する方法も検討されてきた。例えば、特許文献８（特開平９−２８６９３８号公報）では、次亜ハロゲン酸又はその塩により酸化された酸化カーボンブラックを用いた分散剤を含まない水性顔料インクが開示されている。また、芳香族基やアルキル基を連結基としてカーボンブラック表面に親水基を導入した親水顔料を用いたインク（特表平１０−５１０８６２号：特許文献９、特表平１０−５１０８６３号：特許文献１０）等が提示されている。
【０００８】
上記の分散方法を使用することにより、水性媒体中に顔料を分散、安定化させることは可能であるが、オンデマンド方式のインクジェットプリンタでは、印字時常時吐出しているノズルでは乾燥の問題は起こらないが、全てのノズルが吐出していることは少なく、その場合非吐出のノズルでインクの乾燥が起こるので、水分蒸発にともなう顔料の分散破壊によって顔料が凝集したり、ノズル面に顔料粒子が付着したりすることがある。この現象を防ぐため、吸引、ワイピング動作による維持機構がプリンタに備えられているが、動作が頻繁になるとインクの消費量が多くなってしまう。インクサイドからこの現象を防止するために水性インク組成物に吸湿剤を添加することが開示されている。その吸湿剤として、特許文献１１（特開２００４−７５７３０号公報）では、インクジェットインキのノズルでの目詰まり防止のため、パントテン酸塩を用いることが開示されており、また、特許文献１２（特願２００５−０７６０３４号明細書）では、親水性基を表面に有する自己分散可能な顔料とパントテン酸塩を併用することにより、上記課題を解決しようとした例が開示されている。
【０００９】
少なくとも水、水溶性有機溶媒、および顔料を含有する水性インク組成物は、上述した分散方法により通常の分散安定性を確保することはできるが、非吐出のノズルでインクの乾燥が起こった場合、水分蒸発にともなう顔料の分散破壊によって顔料が凝集したり、ノズル面に顔料粒子が付着したりすることがある。インクジェット記録法に使用した場合、長期間印字せずに放置すると吐出ノズル先端でインクが凝集体を形成してしまい、吸引等の回復操作を行っても回復しない問題が発生し、これは、特に高精細な印字を目的としたインク滴量の少ないインクジェット記録装置で使用される微細な吐出ノズルで顕著である。
【００１０】
これに対し、本発明の水性インク組成物は、上記の問題は発生せず、かつ良好な分散安定性を保つことができる。通常水性インク組成物は、上記の開放系での水分の蒸発を防ぐために湿潤剤として吸湿性の強いグリセリンを入れているが、水分の蒸発を抑えることは困難であり、蒸発を防止するためにさらに強い吸湿作用を有する化合物をインク組成物に添加する方法もあるが、本発明は、吐出ノズル先端で水分が蒸発し、凝集状態になるのを防止し、継続供給されるインクに対して良好に分散する特性（本発明では再分散性と定義する）を付与し、インクの吐出安定性を確保することができる。
【００１１】
本発明で用いる一般式（I）のフェノール化合物は、特許文献１３（特開２００２−２６５８３０号公報）においてカチオン染料の溶解助剤として、また特許文献１４（特開平１０−８８０４３号公報）では染料系水性インクにおいて水不溶性モノグリコールエーテル、水不溶性ポリグリコールエーテル、水不溶性Ｎ−置換２−ピロリドン、水不溶性モノグリコールエステル、水不溶性ポリグリコールエステル等の可溶化剤として記載されているが、我々が水性顔料系インクで水分蒸発時における顔料凝集防止について検討を進めてきた中で、本発明の化合物を添加したインクは、水分が蒸発した場合でも凝集を防止し、継続供給されるインクに対して良好に再分散される特性をインクに付与することがわかり、本発明に至った。これは本発明の化合物のフェノール性水酸基或いはカルボキシル基が分散剤のアニオン性基或いは自己分散型顔料の場合には表面の親水性基と互いに反発し合い、凝集の進行を防止している効果があるためと考えた。
【００１２】
【特許文献１】特開平０５−１９４８８９号公報
【特許文献２】特開平０９−００３３８０号公報
【特許文献３】特開平１１−１５８４２４号公報
【特許文献４】特開昭６４−６０７４号公報
【特許文献５】特開平４−１４９２８６号公報
【特許文献６】特開平３−２１０３７３号公報
【特許文献７】特開平３−１３４０７３号公報
【特許文献８】特開平９−２８６９３８号公報
【特許文献９】特表平１０−５１０８６２号公報
【特許文献１０】特表平１０−５１０８６３号公報
【特許文献１１】特開２００４−７５７３０号公報
【特許文献１２】特願２００５−０７６０３４号明細書
【特許文献１３】特開２００２−２６５８３０号公報
【特許文献１４】特開平１０−８８０４３号公報
【発明の開示】
【発明が解決しようとする課題】
【００１３】
本発明は上記従来技術に鑑みてなされたものであり、耐光性、耐水性の優れた顔料系インクで、保存安定性に優れたインクを提供し、吐出ノズル先端でのインク乾燥による目詰まりが発生せず、常に吐出応答性、吐出安定性が良好であるインクジェット記録方式に使用される水性インク組成物を提供することを目的とする。
【課題を解決するための手段】
【００１４】
本発明者らは、水性インク組成物、特にインクジェット記録用水性インク組成物についていろいろの角度から検討を行ってきた結果、以下に示す本発明により上記の目的を達成することを見出した。
即ち本発明は、
（１）少なくとも水、水溶性有機溶媒、および顔料を含有する水性インク組成物であって、下記一般式（Ｉ）で表される化合物を含有させたことを特徴とする水性インク組成物である。
【００１５】
【化１】
2007002059.tif 000002
（但し  Ｍはアルカリ金属、アンモニウム又は有機アンモニウムを表し、ｎは０又は１である）
（２）前記一般式（Ｉ）で表される化合物の含有量がインク全重量に対し０．０１以上１０．０ｗｔ％未満であることを特徴とする（１）に記載の水性インク組成物である。
（３）前記顔料が、親水性基を表面に有する自己分散可能な顔料であることを特徴とする（１）に記載の水性インク組成物である。
（４）自己分散可能な顔料が、カーボンブラックを親水化することにより得られる顔料であることを特徴とする（３）に記載の水性インク組成物である。 
（５）さらに界面活性剤を含有することを特徴とする（１）ないし（４）いずれかに記載の水性インク組成物である。
（６）界面活性剤の含有量がインク全重量に対し０．０１以上２．０ｗｔ％未満であることを特徴とする（５）に記載の水性インク組成物である。
（７）界面活性剤が、アニオン性界面活性剤および／またはノニオン性界面活性剤であることを特徴とする（５）または（６）に記載の水性インク組成物である。
【発明の効果】
【００１６】
以下の詳細かつ具体的な説明から明らかなように、実施例により得られた水性インク組成物を用いた場合には、にじみがなく濃度の高い鮮明な画像であり且つ耐水性および耐光性に優れた画像をいずれの印字用紙を用いた場合にも得ることができ、また画像の乾燥性にも優れている。さらに、実施例により得られた水性インク組成物は、保存安定性に優れており、長期間の保存後においても、また印字休止後においても、吐出信頼性の高いインクジェット記録を行うことができるという極めて優れた効果を奏するものである。
【発明を実施するための最良の形態】
【００１７】
以下、発明をさらに詳細に説明する。
本発明は、少なくとも水、水溶性有機溶媒、および顔料を含有する水性インク組成物であって、下記一般式（Ｉ）で表される化合物を含有させたことを特徴とする。
【００１８】
【化２】
2007002059.tif 000003
（但し、Ｍはアルカリ金属、アンモニウム又は有機アンモニウムを表し、ｎは０又は１である）
【００１９】
一般式（Ｉ）で表される化合物の具体例は、レゾルシン、フロログルシン、１，２，４−トリヒドロキシベンゼン、ピロガロール、またα−レゾルシン酸、β−レゾルシン酸、γ−レゾルシン酸、２，４，６−トリヒドロキシ安息香酸、２，３，４−トリヒドロキシ安息香酸、３，４，５−トリヒドロキシ安息香酸（ガーリック酸）、等のアルカリ金属塩、アンモニウム塩又は有機アンモニウム塩である。有機アンモニウムとしては、トリメチル−２−オキシエチルアンモニウム、テトラエチルアンモニウム、モノエタノールアンモニウム、ジエタノールアンモニウム、トリエタノールアンモニウムなどが挙げられる。これらを単独或いは複数使用することが可能である。前記一般式（Ｉ）で表される化合物は記録用インク全量に対して０．０１〜１０．０重量％、好ましくは０．１〜５．０重量％の範囲で配合される。０．０１重量％より少ないと凝集防止効果が得難く、１０．０重量％より多いと添加した塩が溶解しきれずにインク中の固形分が増加し、インクの粘度が上昇して吐出応答性を悪くする。
【００２０】
また、本発明において用いられる水溶性有機溶剤は、水と共に主溶媒を形成するものであり、水との相溶性を有し、インク組成物中の他の成分と好ましくない相互作用を有さないものである限り特に限定されない。水溶性有機溶剤は、インクを所望の物性にするため、インクの乾燥を防止するために、また、溶解安定性を向上するため等の目的で使用され、例えば下記の水溶性有機溶媒が使用される。これら水溶性有機溶媒は単独使用又は複数混合して使用してもよい。
【００２１】
グリコール類としては、エチレングリコール、ジエチレングリコール、トリエチレングリコール、プロピレングリコール、ジプロピレングリコール、トリプロピレングリコール、分子量６００以下のポリエチレングリコール、１，３−プロピレングリコール、イソプロピレングリコール、イソプチレングリコール、１，４−ブタンジオール、１，３−ブタンジオール、１，５−ペンタンジオール、１，６−へキサンジオール、グリセリン、メソエリスリトール、ペンタエリスリトール等が挙げられ、
グリコールエーテル類としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノメチルエーテル、テトラエチレングリコールモノブチルエーテル、プロピレングリコールモノエチルエーテル、エチレングリコールモノフェニルエーテル、エチレングリコールモノベンジルエーテル等が挙げられる。
【００２２】
含窒素複素環化合物としては、２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等が挙げられ、
アミド類としては、ホルムアミド、Ｎ−メチルホルムアミド、Ｎ，Ｎ−ジメチルホルムアミド等が挙げられ、
アミン類としては、モノエタノールアミン、ジエタノールアミン、トリエタノールアミン、モノエチルアミン、ジエチルアミン、トリエチルアミン等が挙げられ、
含硫黄化合物類としては、ジメチルスルホキシド、スルホラン、チオジエタノール等が挙げられる。
その他としては、プロピレンカーボネート、炭酸エチレン等が挙げられる。
【００２３】
これら有機溶媒の中でも、特にジエチレングリコール、チオジエタノール、ポリエチレングリコール２００〜６００、トリエチレングリコール、ジプロピレングリコール、グリセリン、１，２，６−ヘキサントリオール、１，２，４−ブタントリオール、ペトリオール、１，３−ブタンジオール、１，４−ブタンジオール、１，５−ペンタンジオール、２−ピロリドン、Ｎ−メチル−２−ピロリドンが好ましい。これらは溶解性と水分蒸発による噴射特性不良の防止に対して優れた効果が得られる。
【００２４】
これらの水溶性有機溶媒は単独で用いても、２種以上混合してもよい。水溶性有機溶媒の含有量は、記録用インク全重量に対し、１〜６０ｗｔ％、より好ましくは５〜４０ｗｔ％で使用される。
【００２５】
本発明に用いられる顔料は、特にその種類を限定することなく、無機顔料、有機顔料を使用することができる。
無機顔料としては、酸化チタン及び酸化鉄に加え、コンタクト法、ファーネス法、サーマル法などの公知の方法によって製造されたカーボンブラックを使用することができる。  また、有機顔料としては、アゾ顔料（アゾレーキ、不溶性アゾ顔料、縮合アゾ顔料、キレートアゾ顔料などを含む）、多環式顔料（例えば、フタロシアニン顔料、ぺリレン顔料、ぺリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。
【００２６】
原料として用いるカーボンブラックの種類は特に限定されない。上述の酸性カーボンブラック、中性カーボンブラック、アルカリ性カーボンブラックのいずれでも使用できる。
【００２７】
本発明において好ましく用いられる顔料の具体例としては、以下のものが挙げられる。黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）等の金属類、酸化チタン等の金属酸化物、水酸化物、硫化物、炭酸塩、燐酸塩、硫酸塩、フタロシアニン等の有機金属化合物、アニリンブラック（Ｃ．Ｉ．ピグメントブラック１）等の有機顔料が挙げられる。
カーボンブラックの具体例には、三菱化学社製の＃１０Ｂ、＃２０Ｂ、＃３０、＃３３、＃４０、＃４４、＃４５、＃４５Ｌ、＃５０、＃５５、＃９５、＃２６０、＃９００、＃１０００、＃２２００Ｂ、＃２３００、＃２３５０、＃２４００Ｂ、＃２６５０、＃２７００、＃４０００Ｂ、ＣＦ９、ＭＡ８、ＭＡ１１、ＭＡ７７、ＭＡ１００、ＭＡ２２０、ＭＡ２３０、ＭＡ６００及びＭＣＦ８８等；キャボット社製のモナーク１２０、モナーク７００、モナーク８００、モナーク８８０、モナーク１０００、モナーク１１００、モナーク１３００、モナーク１４００、モーガルＬ、リーガル９９Ｒ、リーガル２５０Ｒ、リーガル３００Ｒ、リーガル３３０Ｒ、リーガル４００Ｒ、リーガル５００Ｒ及びリーガル６６０Ｒ等；デグサ社製のプリンテックスＡ、プリンテックスＧ、プリンテックスＵ、プリンテックスＶ、プリンテックス５５、プリンテックス１４０Ｕ、プリンテックス１４０Ｖ、スペシャルブラック４、スペシャルブラック４Ａ、スペシャルブラック５、スペシャルブラック６、スペシャルブラック１００、スペシャルブラック２５０、カラーブラックＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０及びカラーブラックＳ１７０等が挙げられる。 
【００２８】
さらに、カラー用としては、Ｃ．Ｉ．ピグメントイエロー１（ファストイエローＧ）、３、１２（ジスアゾイエローＡＡＡ）、１３、１４、１７、２４、３４、３５、３７、４２（黄色酸化鉄）、５３、５５、８１、８３（ジスアゾイエローＨＲ）、９５、９７、９８、１００、１０１、１０４、４０８、１０９、１１０、１１７、１２０、１３８、１５３、Ｃ．Ｉ．ピグメントオレンジ５、１３、１６、１７、３６、４３、５１、Ｃ．Ｉ．ピグメントレッド１、２、３、５、１７、２２（ブリリアントファーストスカレット）、２３、３１、３８、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルーＲ）、１５：１、１５：２、１５：３（フタロシアニンブルーＥ）、１６、１７：１、５６、６０、６３、Ｃ．Ｉ．ピグメントグリーン１、４、７、８、１０、１７、１８、３６等がある。
【００２９】
これらの顔料を水性インク組成物の着色剤として用いるための分散剤としては、通常のアニオン系界面活性剤、又は高分子分散剤があるが、アニオン系界面活性剤としては、特開平８−１９９１００号公報に記載のポリオキシエチレンアルキルエーテルサルフェート塩、ポリオキシエチレンアルキルフェニルエーテルサルフェート塩、ポリオキシエチレンアリルエーテルサルフェート塩、高分子分散剤としては、ゼラチン、カゼイン等のタンパク質、アラビアゴム等の天然ゴム、サボニン等のグルコキシド、メチルセルロース、カルボキシメチルセルロース、ヒドロキシメチルセルロース等のセルロース誘導体、リグニンスルホン酸塩、セラミック等の天然高分子、ポリアクリル酸塩、スチレン−アクリル酸共重合物塩、ビニルナフタレン−アクリル酸共重合物塩、スチレン−マレイン酸共重合物塩、ビニルナフタレン−マレイン酸共重合物塩、β−ナフタレンスルホン酸ホルマリン縮合物のナトリウム塩、ポリリン酸等の陰イオン性高分子、ポリビニルアルコール、ポリビニルピロリドン、ポリエチレングリコール等の非イオン性高分子が挙げられ、これらのうち、１種または２種以上を混合して用いることができる。その添加量はインク全重量に対し、０．１〜２０重量％が好ましいが、さらに好ましくは１〜１０重量％である。
【００３０】
本発明の少なくとも１種の親水性基を表面に有する自己分散可能な顔料は、表面に親水性官能基を有し、所謂高分子分散剤又は界面活性剤を含まず、自身で溶媒中に分散可能な顔料が用いられる。顔料が有する親水性官能基としては、ノニオン性、アニオン性、カチオン性のいずれの親水性官能基も使用でき、特に、カルボキシル基、水酸基、スルホン酸基、りん酸基の単独もしくは２種以上の組み合わせが好ましく、この中でもカルボキシル基の単独、もしくはカルボキシル基を含む２種以上の組み合わせがさらに好ましい。カルボキシル基、スルホン酸基、あるいはりん酸基を有する場合、そのまま遊離酸の状態でも使用できるが、一部又は全てが塩を形成しているほうが分散性の点で有利であり、好ましい。塩を形成する物質としては、各種の塩基性物質が使用できるが、アルカリ金属、アンモニウム、有機アンモニウム化合物の単独又は２種以上の組み合わせが好ましい。親水性官能基を導入する顔料としては、無機および有機顔料のいずれも使用できる。  
【００３１】
本発明において好ましく用いられる上記親水性基を表面に有する自己分散可能な顔料として市販品を利用することも可能であり、好ましい例としてはブラックの自己分散型顔料としては、キャボット社のカルボキシル基変性タイプＣＡＢ−Ｏ−ＪＥＴ３００やスルホン基変性タイプＣＡＢ−Ｏ−ＪＥＴ２００、オリエント化学工業株式会社製  BONJET BLACK ＣＷ−１、ＣＷ−２、等、またカラーの自己分散型顔料はキャボット社のスルホン基変性タイプＣＡＢ−Ｏ−ＪＥＴ２５０Ｃ（シアン）、ＣＡＢ−Ｏ−ＪＥＴ２６０Ｍ（マゼンタ）、ＣＡＢ−Ｏ−ＪＥＴ２７０Ｙ（イエロー）の顔料分散液等が挙げられる。
【００３２】
インク中の顔料分散粒子の数平均粒子径は、１５〜１１０ｎｍ、好ましくは２０〜９０ｎｍ、の範囲に調整される。数平均粒子径が１５ｎｍ未満では記録物に透明感が出て、充分な光学濃度が得られない。一方、１１０ｎｍを超えると、粒子の沈降が起こりやすく、インクの保存安定性が低下しやすい。
【００３３】
インク組成物への顔料の含有量は、２〜１０重量％が好ましく、より好ましくは３〜８重量％程度である。顔料の含有量が２重量％未満では印字又は筆記濃度が不充分となり、１０重量％を越えると顔料が凝集し易くなり長期保存中に沈澱が発生したり、吐出安定性が悪くなる。
【００３４】
本発明のインクジェット記録用インクは、好ましくは界面活性剤が含まれていてもよい。ここで用いる界面活性剤は、いわゆる顔料の分散剤として用いるものではなく、分散している顔料の分散安定性を補助する効果や、インクを被記録媒体としての紙中に浸透させる効果等を企図するためのものである。本発明のインクジェット記録用インクに使用できる界面活性剤の種類としては、各種のアニオン性界面活性剤、ノニオン性界面活性剤、カチオン性界面活性剤、両性界面活性剤等が挙げられ、好ましくは、アニオン性界面活性剤、ノニオン性界面活性剤である。
【００３５】
アニオン性界面活性剤としては、ポリオキシアルキレンアルキルエーテルカルボン酸塩界面活性剤又はポリオキシアルキレンアルキルエーテルスルホン酸塩又はポリオキシアルキレンアリールエーテルスルホン酸塩界面活性剤を含有することが好ましい。ポリオキシアルキレンアルキルエーテルカルボン酸塩界面活性剤の例としては、日光ケミカルズ社製のＥＣＴ−３ＮＥＸ、ＥＣＴＤ−３ＮＥＸ、ＥＣＴＤ−６ＮＥＸ、ＥＣＴ−３、ＥＣＴ−７、ＡＫＹＰＯ ＲＬＭ ４５ＮＶ（ＣＨＥＭ−Ｙ）、ＡＫＹＰＯ ＲＬＭ４５（ＣＨＥＭ−Ｙ）、ＡＫＹＰＯ ＲＬＭ１００ＮＶ（ＣＨＥＭ−Ｙ）、ＡＫＹＰＯ ＲＬＭ１００（ＣＨＥＭ−Ｙ）などを用いることができ、ポリオキシアルキレンアルキルエーテルスルホン酸塩又はポリオキシアルキレンアリールエーテルスルホン酸塩界面活性剤の例としては、日光ケミカルズ社製のＮＩＣＯＬＬ  ＳＢＬ−４４、第一工業製薬社製のハイテノールＮ−０７、ハイテノールＮ−０８、ハイテノールＮ−１７、ハイテノールＮＥ−０５、ハイテノールＮＥ−１５、ハイテノールＮＦ−１３、ハイテノール０８Ｅ、ハイテノール１２、ハイテノール１８Ｅなどを用いることができる。特にＥＣＴＤ−３ＮＥＸやＥＣＴＤ−６ＮＥＸ又は、ハイテノール１８Ｅを用いると良好な記録品質を示す。 
【００３６】
また、非イオン界面活性剤としては、ポリオキシエチレンノニルフェニルエーテル、ポリオキシエチレンオクチルフェニルエーテル、ポリオキシエチレンドデシルフェニルエーテル等のポリオキシエチレンアルキルアリルエーテル；ポリオキシエチレンオレイルエーテル、ポリオキシエチレンラウリルエーテル等のポリオキシエチレンアルキルエーテル；ポリオキシアルキレンアルキルエーテル；などのエーテル系、ポリオキシエチレンオレイン酸；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレートなどのエステル系；その他フッ素アルキルエステル、パーフルオロアルキルカルボン酸塩などの含フッ素系界面活性剤などがある。
【００３７】
これら界面活性剤の添加量は、インク組成物の０．０１〜２．０重量％程度が好ましく、より好ましくは０．１〜１．５重量％程度である。この範囲の添加量は、分散安定性を向上させ、被記録媒体としての紙中にインクを浸透させる効果あり、２．０重量％より多くすると、にじみが増大するようになる。
【００３８】
他方、本発明においては、２５℃の水中において０．１〜４．５重量％の間の溶解度を有するジオールおよび／またはジエチレングリコールモノアルキルエーテルを記録用インク全重量に対して０．１〜１０．０重量％添加することによって、インクのヘッドインク流路内壁への濡れ性が改良され、少量の添加量でも吐出安定性および周波数安定性が得られる。
【００３９】
２５℃の水１００重量部に少なくとも４．５重量部以上の溶解度を有するジオールは溶解性が高いために浸透剤としての機能が殆ど示さない。これに対し２５℃の水中において０．１〜４．５重量％未満の間の溶解度を有する浸透剤は溶解度が低い代わりに浸透性が非常に高いという長所がある。したがって、２５℃の水中において０．１〜４．５重量％未満の間の溶解度を有する浸透剤と他の溶剤との組み合わせや他の界面活性剤との組み合わせで非常に高浸透性のインクを作成することが可能となる。 
【００４０】
前記２５℃の水中において０．１〜４．５重量％未満の間の溶解度を有するジオールおよび／またはジエチレングリコールモノアルキルエーテルとしては、２−エチル−１，３−ヘキサンジオール、２，２，４−トリメチル−１，３−ペンタンジオール、１，２，４−トリメチル−１，３−ペンタンジオール、２，４−ジエチル−１，５−ペンタンジオール、ジエチレングリコールモノヘキシルエーテル等が例示されるが、２−エチル−１，３−ヘキサンジオール、２，２，４−トリメチル−１，３−ペンタンジオール、２，４−ジエチル−１，５−ペンタンジオールが特に好ましい。
【００４１】
インク組成物への前記ジオールおよび/またはジエチレングリコールモノアルキルエーテルの含有量は、０．１〜４．５重量％が好ましく、より好ましくは０．５〜３重量％程度である。前記ジオールおよび／またはジエチレングリコールモノアルキルエーテルの含有量が０．１重量％未満ではインクの浸透性または濡れ性への効果が不充分となり、４．５重量％を越えると未溶解分がインク中に分離し、顔料の凝集を引起す要因となる。
【００４２】
また、本発明によるインク組成物は、その諸特性を改善するために防腐剤、防かび剤、ｐＨ調整剤、染料溶解助剤、酸化防止剤、導電率調整剤、表面張力調整剤、酸素吸収剤などを含むことができる。
【００４３】
防腐剤、防かび剤の好ましい具体例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ベンゾイソチアゾリン−３−オン（ＩＣＩ社のプロキセルＣＲＬ、プロキセルＢＤＮ、プロキセルＧＸＬ、プロキセルＸＬ−２、プロキセルＬＶ）などが挙げられる。
【００４４】
また、ｐＨ調整剤、染料溶解助剤、酸化防止剤の例としては、ジエタノールアミン、トリエタノールアミン、プロパノールアミン、モルホリンなどのアミン類及びそれらの変成物、水酸化カリウム、水酸化ナトリウム、水酸化リチウムなどの無機塩類、水酸化アンモニウム、４級アンモニウム水酸化物（テトラメチルアンモニウムなど）、炭酸カリウム、炭酸ナトリウム、炭酸リチウムなどの炭酸塩類その他燐酸塩など、あるいはＮ−メチルー２−ピロリドン、アロハネート、メチルアロハネートなどのアロハネート類、ビューレット、ジメチルビューレット、テトラメチルビューレットなどのビューレット類など、Ｌ−アスコルビン酸及びその塩などが挙げられる。 
【００４５】
また、本発明によるインク組成物は、紫外線吸収剤を含むことができる。それらの市販品の例としては、チバガイギー社製のＴｉｎｕｖｉｎ３２８、９００、１１３０、３８４、２９２、１２３、１４４、６２２、７７０、２９２、Ｉｒｇａｃｏｒ２５２、１５３、Ｉｒｇａｎｏｘ１０１０、１０７６、１０３５、ＭＤ１０２４などがある。 
【００４６】
また、本発明によるインク組成物は、粘度調整剤を含むことができる。その具体例としては、ロジン類、アルギン酸類、ポリビニルアルコール、ヒドロキシプロピルセルロース、カルボキシメチルセルロース、ヒドロキシエチルセルロース、メチルセルロース、ポリアクリル酸塩、ポリビニルピロリドン、アラビアゴムスターチなどがある。
【００４７】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。その目的に応じて水溶性紫外線吸収剤、水溶性赤外線吸収剤、界面活性剤を添加することができる。
【００４８】
本発明にかかる記録用インクは、筆記用具インクやインクジェット記録用インクに用いることができる。インクジェット記録方法としては、インクに力学的エネルギーを作用させ、液滴を吐出する記録方法、及びインクに熱エネルギーを加えてインクの発泡により液滴を吐出する記録方法があり、それらの記録方法に本発明の記録用インクを好適に用いることができる。インクジェット記録用に用いる場合には、該インクはインクジェットヘッドから吐出可能である特性を有することが好ましい。インクジェットヘッドからの吐出性という観点から、該インクの特性として、表面張力は２０〜６０ｍＮ／ｍが好ましく、さらには２５〜５０ｍＮ／ｍが好ましい。粘度は、１．５〜１０．０ｍＰａ・ｓが好ましく、さらには２．０〜８．０ｍＰａ・ｓが好ましい。ｐＨはインク中の顔料粒子分散安定性を確保するため、６．０〜１１．０が好ましく、さらには６．５〜１０．０が好ましい。
【実施例】
【００４９】
以下に本発明の実施例及び比較例を示すが、本発明はこれらに限定されるものではない。なお、実施例に記載の各成分の量（％）は重量基準である。以下に示す組成のインク組成物を調製した。 
【００５０】
［実施例１］
先ず下記の処方にて顔料分散液を調合・混合し、この混合物を１リットルのベッセルに入れ、直径０．７ｍｍのジルコニアビーズ  ９００ｇを加え、カンペ社製バッチ式卓上サンドミルで２０時間分散し、顔料分散液（Ａ）を得た。
ピグメントレッド１２２                                            ３０部
（大日本インキ社製  FASTOGEN SUPER MAGENTA RG）
スチレン−アクリル酸共重合体アンモニウム水溶液（２０％）          ３０部
（ジョンソンポリマー社製  ジョンクリル679）
グリセリン                                                        １０部
イオン交換水                                                    １３０部
下記処方のインク組成物を作成し、ｐＨが８になるように水酸化リチウム１０％水溶液にて調整した。その後、平均孔径１．２μｍのメンブレンフィルターで濾過を行ない水性インク組成物を得た。
顔料分散液（Ａ）                                                  ２５部
フロログルシン                                                      １部
グリセリン                                                          ６部
ジエチレングリコール                                              １８部
２−エチル−１，３−ヘキサンジオール                                ２部
１，２−ベンゾイソチアゾリン−３−オン                        ０．１５部
（アビシア社製  プロキセルLV  20％液）
イオン交換水                                                ４７．８５部
【００５１】
［実施例２］
先ず下記の処方にて顔料分散液を調合・混合し、この混合物を１リットルのベッセルに入れ、直径０．７ｍｍのジルコニアビーズ  ９００ｇを加え、カンペ社製バッチ式卓上サンドミルで２０時間分散し、顔料分散液（Ｂ）を得た。
ピグメントブルー１５：３                                          ３０部
（東洋インキ社製  LIONOL BLUE FG-7351）
ポリオキシエチレンラウリルエーテルサルフェートトリエタノールアンモニウム塩
（日光ケミカルズ製  NICOLL SBL-4T）                                ６部
グリセリン                                                        １０部
イオン交換水                                                    １５４部
下記組成物を用いる以外は実施例１と同様にし、ｐＨを水酸化リチウム１０％水溶液で９にして水性インク組成物を得た。その後、平均孔径１．２μｍのメンブレンフィルターで濾過を行ない水性インク組成物を得た。
顔料分散液（Ｂ）                                                  ２０部
レゾルシン                                                          １部
グリセリン                                                          ６部
トリエチレングリコール                                            １７部
２−エチル−１，３−ヘキサンジオール                                ２部
ＥＣＴＤ−３ＮＥＸ                                              ０．５部
（日光ケミカルズ製アニオン性界面活性剤）
１，２−ベンゾイソチアゾリン−３−オン                        ０．１５部
（アビシア社製  プロキセルLV  20％液）
イオン交換水                                                ５３．３５部
【００５２】
［実施例３］
先ず下記の処方にて顔料分散液を調合・混合し、この混合物を１リットルのベッセルに入れ、直径０．７ｍｍのジルコニアビーズ  ９００ｇを加え、カンペ社製バッチ式卓上サンドミルで２０時間分散し、顔料分散液（Ｃ）を得た。
ピグメントイエロー１３８                                          ３０部
（東洋インキ社製  LIONOGEN YELLOW 1010）
スチレン−無水マレイン酸共重合体アンモニウム水溶液（２０％）      ３０部
（サートマー社製  SMAグレード2000）
グリセリン                                                        １０部
イオン交換水                                                    １３０部
下記処方のインク組成物を作成し、ｐＨが８になるように水酸化リチウム１０％水溶液にて調整した。その後、平均孔径１．２μｍのメンブレンフィルターで濾過を行ない水性インク組成物を得た。
顔料分散液（Ｃ）                                                  ２０部
１，２，４−トリヒドロキシベンゼン                                  １部
グリセリン                                                          ６部
ジエチレングリコール                                              １８部
２−エチル−１，３−ヘキサンジオール                                ２部
ハイテノールＮ−０８                                            １．０部
（第一工業製薬（株）製アニオン性界面活性剤）
１，２−ベンゾイソチアゾリン−３−オン                        ０．１５部
（アビシア社製  プロキセルLV  20％液）
イオン交換水                                                ５１．８５部
【００５３】
［実施例４］
下記組成物を用いる以外は実施例１と同様にして、ｐＨを水酸化リチウム１０％水溶液で９にして水性インク組成物を得た。その後、平均孔径１．２μｍのメンブレンフィルターで濾過を行ない水性インク組成物を得た。
スルホン酸基付加型カーボンブラック分散液                          ２５部
（キャボット・スペシャルティ・ケミカルズ・インク製CAB-O-JET200）
２，４，６−トリヒドロキシ安息香酸                                  １部
グリセリン                                                          ６部
ジエチレングリコール                                              １８部
２−エチル−１，３−ヘキサンジオール                                ２部
ポリオキシエチレンオクチルフェノールエーテル                    ０．５部
（東邦化学工業社製ノナール  310）
１，２−ベンゾイソチアゾリン−３−オン                        ０．１５部
（アビシア社製  プロキセルLV  20％液）
イオン交換水                                                ４７．３５部
【００５４】
［実施例５］
下記組成物を用いる以外は実施例１と同様にして、ｐＨを水酸化リチウム１０％水溶液で９にして記録用インクを調整した。その後、平均孔径５μｍのメンブレンフィルターで濾過を行ない水性インク組成物を得た。
カルボキシル基付加型カーボンブラック分散液                        ３５部
（オリエント化学工業(株)製BonJet  CW-1）
α−レゾルシン酸                                                    １部
グリセリン                                                          ６部
ジエチレングリコール                                              １８部
２−エチル−１，３−ヘキサンジオール                                ２部
ＥＣＴＤ−６ＮＥＸ                                              ０．５部
（日光ケミカルズ製アニオン性界面活性剤）
１，２−ベンゾイソチアゾリン−３−オン                        ０．１５部
（アビシア社製  プロキセルLV  20％液）
イオン交換水                                                ３７．３５部
【００５５】
［実施例６］
下記組成物を用いる以外は実施例１と同様にして、ｐＨを水酸化リチウム１０％水溶液で９にして記録用インクを調整した。 その後、平均孔径１．２μｍのメンブレンフィルターで濾過を行ない水性インク組成物を得た。
スルホン酸基付加型マゼンタ分散液                                    ３５部
（キャボット・スペシャルティ・ケミカルズ・インク製CAB-O-JET260M）
グリセリン                                                          ６部
トリエチレングリコール                                            １７部
２−エチル−１，３−ヘキサンジオール                                ２部
２−ピロリドン                                                      ２部
ハイテノール  １８Ｅ                                                １部
（第一工業製薬(株)製アニオン性界面活性剤）
ペグノール  ＴＨ−８                                            ０．３部
（東邦化学工業(株)製ノニオン性界面活性剤）
１，２−ベンゾイソチアゾリン−３−オン                        ０．１５部
（アビシア社製  プロキセルLV  20％液）
イオン交換水                                                ４４．５５部
【００５６】
［比較例１］
下記組成物を用いる以外は実施例１と同様にして、ｐＨを水酸化リチウムで９にして記録用インクを調整した。その後、平均孔径１．２μｍのメンブレンフィルターで濾過を行ない水性インク組成物を得た。
実施例１の顔料分散液（Ａ）                                          ２５部
グリセリン                                                            ６部
ジエチレングリコール                                                １８部
２−エチル−１，３−ヘキサンジオール                                  ２部
防かび剤  プロキセルＬＶ（２０％液）                            ０．１５部
イオン交換水                                                  ４８．８５部
【００５７】
［比較例２］
下記組成物を用いる以外は実施例１と同様にして、ｐＨを水酸化リチウムで９にして水性インク組成物を調整した。
実施例２の顔料分散液（Ｂ）                                          ２０部
グリセリン                                                            ６部
トリエチレングリコール                                              １７部
２−エチル−１，３−ヘキサンジオール                                  ２部
ＥＣＴＤ−３ＮＥＸ                                                ０．５部
（日光ケミカルズ製アニオン系界面活性剤）
防かび剤  プロキセルＬＶ（２０％液）                            ０．１５部
イオン交換水                                                  ５４．３５部
【００５８】
［比較例３］
下記組成物を用いる以外は実施例１と同様にして、ｐＨを水酸化リチウムで９にして水性インク組成物を調整した。
実施例３の顔料分散液（Ｃ）                                          ２０部
グリセリン                                                            ６部
ジエチレングリコール                                                １８部
防かび剤  プロキセルＬＶ（２０％液）                            ０．１５部
イオン交換水                                                  ５５．８５部
【００５９】
［比較例４］
実施例１において、顔料分散液（Ａ）に代えて、C.I.アシッドレッド35（固形分濃度  ４％）を用いた以外は実施例１と同様に水性インク組成物を調整した。
【００６０】
［比較例５］
実施例２において、顔料分散液（Ｂ）に代えて、C.I.アシッドブルー9（固形分濃度  ３％）を用いた以外は実施例２と同様に水性インク組成物を調整した。
【００６１】
［比較例６］
実施例３において、顔料分散液（Ａ）に代えて、C.I.アシッドイエロー23（固形分濃度  ３％）を用いた以外は実施例３と同様に水性インク組成物を調整した。
【００６２】
次に上記実施例１〜６及び比較例１〜６について下記の試験を行なった。試験結果は、後述する表１に示す。
１）画像の鮮明性
サーマルインクジェット方式のノズル径４５μｍ、３００ｄｐｉのノズルを有するインクジェットプリンタ及び積層ＰＺＴを液室流路の加圧に使用したノズル径３３μｍ、１２８ｄｐｉのノズルを有するインクジェットプリンタによって、市販の再生紙、上質紙およびボンド紙の３種類の印字用紙に印字を行い、印字画像について、２色重ね部境界のにじみ、画像にじみ、色調、濃度を目視により総合的に判断し画像の鮮明性を評価した。
評価基準
◎：全紙滲みの発生なく鮮明な印刷である。
○：一部の用紙（再生紙）にひげ状の滲みの発生がある。
△：全紙にひげ状の滲みの発生がある。
×：文字の輪郭がはっきりしないほど滲みが発生している。
２）画像の耐水性
印字画像サンプルを３０℃の水に１分間浸漬して処理前後の画像濃度の変
変化をマクベス濃度計で測定し、下記の式により耐水性（耐色率％）を求めた。表１において、○印は３種類の印字用紙のいずれにおいても耐水性（耐色率％）が１０％未満である場合を、△印は１０％以上３０％未満の場合を、また×印は３０％以上である場合を示している。
耐色率（％）＝［１−（処理後の画像濃度／処理前の画像濃度）］×１００
３）画像の耐光性
印字画像サンプルをキセノンフィードメーターによりブラックパネル温度６３度で３時間照射して処理前後の画像濃度の変化をマクベス濃度計で測定し、下記の式により耐光性（耐色率％）を求めた。表１において、○印は３種類の印字用紙のいずれにおいても耐光性（耐色率％）が５％未満である場合を、△印は５％以上３０％未満の場合を、また×印は３０％以上である場合を示している。
耐色率（％）＝［１−（処理後の画像濃度／処理前の画像濃度）］×１００
４）画像の乾燥性
印字後の画像に一定条件で濾紙を押しつけインクが濾紙に転写しなくなるまでの時間を測定した。１０秒以内で乾燥した場合に○、１０〜２０秒を△、２０秒以上を×と判定した。
５）保存安定性
各記録用インクをポリエチレン容器に入れ、−２０℃、５℃、２０℃、７０℃のそれぞれの条件下で３カ月保存し、保存後の表面張力、粘度、及び沈澱物析出の有無を調べた。表１において、どの条件で保存しても、物性等の変化がない場合を○印、沈殿はないが物性変化が大きい場合を△印、沈殿の析出が認められる場合を×印として示した。 
６）印字休止時信頼性 
ノズル径３０μｍ、１２８ｄｐｉのノズルを有するＰＺＴで駆動するヘッドを備えたインクジェットプリンタを使用し、動作中にキャップ、クリーニング等が行われないでどれだけ印字休止しても復帰できるかを調べ、どれだけの時間で噴射方向がずれるか、あるいは吐出液滴の重量が変化するかでその信頼性を評価した。表１において、６００秒の印字休止で特に問題のない場合を○印、６００秒の印字休止で液滴重量の変化が小さく、噴射方向のずれが小さい場合を△印、６００秒以内の印字休止で顕著な目詰まりが発生した場合を×印として示した。
【００６３】
【表１】
2007002059.tif 000004